(57)【要約】【課題】木目１１を有する板材１を分割して得た分割片２の個数が多くても、木目照合作業を容易に行うことができる構成簡素で安価な証明プレート１０を提供すること。【解決手段】木目１１を有する板材１を、その木目１１を分断するように分割して得た複数の分割片２・２…から成る複数個一組の証明プレート１０において、隣り合う一の分割片２及び他の分割片２の相対向するそれぞれの分割縁部に、互いに対応する一対の木目照合誘導部３を設けた。【選択図】図１
2020162941.tif 000002
【特許請求の範囲】
【請求項１】
木目を有する板材を当該木目を分断するように分割して得た複数の分割片から成る複数個一組の証明プレートであって、
隣り合う一の前記分割片及び他の前記分割片の相対向するそれぞれの分割縁部に、互いに対応する一対の木目照合誘導部が設けられていることを特徴とする証明プレート。
【請求項２】
前記木目照合誘導部が誘導表示部から成ることを特徴とする請求項１に記載の証明プレート。
【請求項３】
前記誘導表示部が、隣り合う前記分割片同士を突き合せたとき連続することを特徴とする請求項２に記載の証明プレート。
【請求項４】
前記木目照合誘導部が誘導凹凸部から成ることを特徴とする請求項１に記載の証明プレート。
【請求項５】
前記板材が、木口面を板面としていることを特徴とする請求項１〜請求項４のいずれかに記載の証明プレート。
【請求項６】
請求項１〜請求項５のいずれかに記載の証明プレートを用いたキーホルダー。
【請求項７】
請求項１〜請求項５のいずれかに記載の証明プレートを用いた装身具。
【請求項８】
請求項１〜請求項５のいずれかに記載の証明プレートを用いた装飾品。
【請求項９】
請求項１〜請求項５のいずれかに記載の証明プレートを用いた実用品。
【発明の詳細な説明】
【技術分野】
【０００１】
本発明は、学業、活動、同好のスポーツ、趣味、行事等でいっしょに活動するなどの縁をもった者が、後日その絆を確認し証明することができる証明プレート並びにこの証明プレートを用いたキーホルダー、装身具、及び装飾品等に関する。
【背景技術】
【０００２】
周知のとおり、同好クラブやスポーツチーム等の解散式や大会の終了式等において、当事者に各種の記念品を配ることが行われている。しかしながら、これら記念品は、自分達がその解散式等の日までそのクラブ等に所属していたという事実を証明するものではなかった。
【０００３】
現在までに、木材の板目の面を利用し、木目を生かした時計を複数製作し、特別な関係になる者がその左右の木目の繋がった時計を所持し合い、その絆を大切にしようとする記念品が提案されている（下記特許文献１参照）。
【０００４】
この特許文献１に記載の時計は、木目を有する板材をその木目を分断するように分割して得た二、三個の分割片を時計本体としているため、所持者が各時計を持ち寄り、各分割片の分割面同士を突き合わせ、それら分割片間の木目の連続性を確認すれば、所持者の関係を証明することは可能である。
【０００５】
樹木の年輪は、春材部分は色が薄く厚く、夏材部分は濃く細く線のように見え、年毎にそれぞれその厚みが違い、東西南北方向にも一様でない。年輪は樹木毎に又部位毎に微妙に違っていて同じものは無い。したがって、各分割片間の全ての木目を照合することによって、第三者の認証の必要もなく、分割片それ自体の木目で所持者の関係を証明することができる。
【０００６】
ところが、このように分割片の木目照合により所持者の関係を証明することは可能であるものの、分割片の個数が多くなればなるほど、これら分割片の組み合わせ数が、恰もパズルのように著しく増大し、木目の照合作業自体が困難化する問題があった。
また、組み合わせが判明しても突合せの分割面がずれると、樹木の年輪の違いが微妙であるため照合確認が実際上不可能であった。
【先行技術文献】
【特許文献】
【０００７】
【特許文献１】特開２０１１−２５２９００号公報
【発明の概要】
【発明が解決しようとする課題】
【０００８】
本発明は、分割片の木目照合による証明に上記のような問題があったことに鑑みて為されたもので、たとえ分割片の個数が多くなっても、木目照合作業を容易に行うことができる、構成簡素で安価な証明プレートを提供することを課題とする。
【０００９】
また、本発明は、このような証明プレートを用いたキーホルダー、装身具、及び装飾品等を提供することを課題とする。
【課題を解決するための手段】
【００１０】
本発明に係る証明プレートは、木目を有する板材を当該木目を分断するように分割して得た複数の分割片から成る複数個一組の証明プレートであって、隣り合う一の前記分割片及び他の前記分割片の相対向するそれぞれの分割縁部に、互いに対応する一対の木目照合誘導部が設けられていることを特徴としている。
【００１１】
また、本発明に係る証明プレートは、前記木目照合誘導部が誘導表示部から成ることを特徴としている。
【００１２】
また、本発明に係る証明プレートは、前記誘導表示部が、隣り合う前記分割片同士を突き合せたとき連続することを特徴としている。
【００１３】
また、本発明に係る証明プレートは、前記木目照合誘導部が誘導凹凸部から成ることを特徴としている。
【００１４】
また、本発明に係るキーホルダー、装身具、装飾品、及び実用品は、上記証明プレートを用いたことを特徴としている。
【発明の効果】
【００１５】
本発明に係る証明プレートによれば、各分割片の分割縁部に木目照合誘導部が設けられているので、個々の分割片の表裏や突合せの向き等の判断が容易になり、さらに、木目の連続性を確認すべき隣の証明プレートの選択が容易になる。また、照合に際して分割片間の位置的ずれを修正することができる。したがって、たとえ分割片の個数が多くても、木目照合作業に手間取ることなく容易に証明作業を行うことができる。しかも、木目照合誘導部を各分割片に容易に設けることができるので、構成簡素で安価な証明プレートを提供することができる。
【００１６】
また、本発明に係る証明プレートは、その構成が簡素なので、その利用範囲は頗る広く、個々の証明プレートをそのまま記念品として利用することができる他、所定の加工を施してキーホルダー、装身具、装飾品、実用品等として利用することができる。
【図面の簡単な説明】
【００１７】
【図１】本実施形態の証明プレートの斜視図である。
【図２】本実施形態の証明プレートを用いたキーホルダーの斜視図である。
【図３】本発明に係る証明プレートの他の実施形態の平面図である。
【図４】本発明に係る証明プレートの更に他の実施形態の要部斜視図である。
【図５】本発明に係る証明プレートの更に他の実施形態の要部斜視図である。
【図６】本発明に係る証明プレートの更に他の実施形態の要部斜視図である。
【発明を実施するための形態】
【００１８】
図１に示すように、本実施形態の証明プレート１０は、木目１１を有する板材１をその木目１１を分断するように分割して得た複数の分割片２・２…から成り、これら分割片２の分割縁部２１に、互いに対応する対の木目照合誘導部３が設けられている。
【００１９】
本実施形態の板材１は、所要年数を経た樹木の幹を輪切りしたものであり、木口面を板面とし、この板面に木目１１として年輪が表れている。この板材１を、年輪の中心付近から放射状に折り割って分割することにより、計五つの略扇形状の分割片２が形成されている。この板材１を折り割る際、板材１の裏面に切込みを入れ、この切込みを割るようにすれば、板材２の材質が堅牢であっても、板材２を所望位置で折り割ることができる。
【００２０】
本実施形態の木目照合誘導部３は、記号から成る誘導表示部３１から構成されている。互いに隣り合う一の分割片２及び他の分割片２の相対向するそれぞれの分割縁部２１・２１に、互いに対応する一対の誘導表示部３１・３１が設けられている。即ち、図１中に示す、一対の誘導表示部（３１ａ・３１ｂ）は、一方の誘導表示部（３１ａ）が、一の分割片（２ａ）の一の分割縁部（２１ａ）に設けられ、他方の誘導表示部（３１ｂ）が、この一の分割片（２ａ）の隣の他の分割片（２ｂ）の一の分割縁部（２１ｂ）に設けられている。そして、他の一対の誘導表示部（３１ｃ・３１ｄ）は、一方の誘導表示部（３１ｃ）が、一の分割片（２ａ）の他の分割縁部（２１ｃ）に設けられ、他方の誘導表示部（３１ｄ）が、この一の分割片（２ａ）の隣の更に他の分割片（２ｃ）の一の分割縁部（２１ｄ）に設けられている。このようにして計五つの分割片２・２…の相対向する分割縁部２１・２１に、計五対の誘導表示部３１・３１がそれぞれ設けられている。
【００２１】
また、本実施形態の各対の誘導表示部３１・３１は、互いに隣り合う分割片２同士を突き合せたとき、これら分割片２の分割面２１０を介して連続するように設けられている。この誘導表示部３１は、分割片２の分割縁部２１に塗料や墨やインク等で描いてもよく、刻んでよく、焼いて刻印してもよい。また、誘導表示部３１は、記号のほか、線、文字、数字、文様、絵柄等を採用することができる。また、一つの分割縁部２１に複数の誘導表示部３１を設けてもよい。また、複数対の誘導表示部の間で意味や観念的なつながりを持たせてもよい。
【００２２】
また、誘導表示部３１を、分割片２の木目１１の位置に合わせて設けてもよい。例えば、クラブ等で活動した期間や優勝等した年を年輪を利用して示すようにしてもよい。卒業生には皆が入学した年、即ち出会った年に相当する年輪の木目１１上に誘導表示部３１を設けるようにすれば、証明プレート１０に更に意味合いが加わり愛着が増す。
【００２３】
また、卒業式の記念として、思い出や由緒ある木から連続的に上下の隣合わせで、クラスの中の班等の数と同数の板材１を採り、各板材１から班毎に証明プレート１０を製作してもよい。この証明プレートを所持し合えば、クラス全員が一本の木から採取され木目が極めてよく似た証明プレート１０を所持することができる。
【００２４】
本実施形態の各分割片２の板面には、上記誘導表示部３１のほか、文字列から成る付加表示部４・５が設けられている。付加表示部４は、全ての分割片２を突き合わせた状態で板材１の全面に設けられており、例えば優勝などの記録や大会名、チーム名、大会エンブレム等の文字列や図柄等が記されている。一枚の証明プレート１０だけでは部分的で読めなくても、全員が持ち寄って全ての証明プレート１０を付き合わせれば、優勝などの記録や大会名等が読めるように浮かび上がってくる。つまり、所持者全員の協力によって、チームの記録や誉れとして残したい事項を確認でき、それが絆の確認ともなる。
【００２５】
付加表示部５は、個々の分割片２毎に設けられており、例えば各証明プレート１０の所持者の氏名や背番号、所持者自身が記録したい事項等が記されている。また、隣の証明プレートの所持者名を記した付加表示部５を誘導表示部３１の近くに設ければ、次述する木目照合作業がより容易になる。
【００２６】
本実施形態の五個一組の証明プレート１０・１０…を、同好クラブやスポーツチーム等の解散式等に当事者に配り、後日、所持者が各証明プレート１０を持ち寄り、各分割片２の分割面同士を突き合わせ、各分割片２の木目１１の連続性を確認し照合することによって、所持者の関係を証明することができる。この照合には、木目１１の他に、木材の放射組織の線、幼木期の枝の跡、節、杢、樹液や腐朽菌等による絵文様などの滑らかに連続する線や輪郭線も利用することができる。
【００２７】
このように本実施形態の証明プレート１０は、各分割片２の分割縁部２１に誘導表示部３１から成る木目照合誘導部３が設けられているので、この木目照合誘導部３の存在によって、個々の分割片２の表裏や突合せの向き等の判断が容易になり、さらに、木目１１の連続性を確認すべき隣の証明プレート１０の選択が容易になる。したがって、たとえ分割片２の個数が多くても、木目照合作業に手間取ることなく容易に証明作業を行うことができる。
【００２８】
しかも、本実施形態の証明プレート１０は、木目照合誘導部３を各分割片２に容易に設けることができるので、構成簡素で安価な証明プレート１０を提供することができる。
【００２９】
また、本実施形態の証明プレート１０は、各対の誘導表示部３１・３１が、分割片２同士を突き合せたとき連続するように設けられているので、各分割片２の木目照合作業をより簡単かつ確実に行うことができる。
【００３０】
また、本実施形態の証明プレート１０は、木口面を板面とし、この板面に木目１１として年輪が表れた板材１を、その年輪の中心付近から放射状に分割することによって複数の分割片２・２…が形成されているので、全ての分割片２・２…を突き合わせたとき、各分割片２の木目１１により分割前の閉じた年輪が浮かび出る。そして、証明プレート１０の例えば右側における木目照合を繰り返していくと、最後はその証明プレート１０の左側において木目照合が求められることになり、絆と団結をより強く意識させてくれる。
【００３１】
また、本実施形態の証明プレート１０は、その構成が簡素なので、その利用範囲は頗る広く、個々の証明プレート１０をそのまま記念品として利用することができる他、例えば、図２に示すように、分割片２に設けた貫通孔６１にチェーン６２を通すことによって、証明プレート１０をキーホルダーとして利用することができる。その他、証明プレート１０に所定の加工を施すことにより、ブローチ、ペンダント、イヤリング等の装身具として利用したり、置物や掛物等の装飾品として利用することができる。
【００３２】
以上、本実施形態の証明プレート１０について説明したが、本発明は他の実施形態でも実施することができる。
【００３３】
例えば、上記実施形態では、板材１を放射状に折り割って分割しているが、図３に示す証明プレート２０のように、板材１を鋸等を使って格子状に切断することにより分割し、略矩形状の分割片２・２…を得てもよい。また、証明プレート２０のように、同一形状の記号から成る誘導表示部で構成された各対の木目照合誘導部３を、各分割片２の分割縁部において互いに異なる位置や角度で設けるようにしてもよい。証明プレートのデザイン性、分割片の個数、サイズ等を考慮して種々の設計変更が可能である。
【００３４】
また、図４に示す証明プレート３０のように、互いに対応する一対の木目照合誘導部３を構成する誘導表示部３２を、隣り合う分割片２同士を突き合せたとき、分割面２１０を挟んだ離れた位置に設けてもよい。この誘導表示部３２を、例えば各分割片２の特に目立つ木目１２の位置に設けるようにすれば、木目照合作業を容易に行うことができる。
【００３５】
また、図５に示す証明プレート４０のように、互いに対応する一対の木目照合誘導部３を構成する誘導表示部３３を、分割片２の分割縁部２１の分割面２１０に設けてもよい。証明プレートのデザイン等を考慮して種々の設計変更が可能である。
【００３６】
また、図６に示す証明プレート５０のように、互いに対応する一対の木目照合誘導部３を、誘導凹凸部３４から構成してもよい。互いに隣り合う一の分割片２及び他の分割片２の相対向するそれぞれの分割縁部２１・２１に、互いに合致する凹部と凸部とが設けられている。また、木目照合誘導部３として、これら誘導凹凸部と誘導表示部とを併用してもよい。
【００３７】
本発明は、その他、その趣旨を逸脱しない範囲内で、当業者の知識に基づいて種々の改良、修正、変形を加えた態様で実施することができる。
【産業上の利用可能性】
【００３８】
本発明に係る証明プレートは、各種の記念品、引出物、ペンダント、キーホルダー等の実用品、ネックレス、イヤリング等の装身具、装飾品等に適用することができる。
【符号の説明】
【００３９】
１０、２０、３０、４０、５０  証明プレート
１    板材
１１、１２  木目
２    分割片
２１  分割縁部
３    木目照合誘導部
３１、３２、３３  誘導表示部
３４  誘導凹凸部
【図１】
2020162941.tif 000003
【図２】
2020162941.tif 000004
【図３】
2020162941.tif 000005
【図４】
2020162941.tif 000006
【図５】
2020162941.tif 000007
【図６】
2020162941.tif 000008
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
木目を有する板材を当該木目を分断するように分割して得た複数の分割片から成る複数個一組の証明プレートであって、
前記板材は木口面を板面としたものであって、前記板材の板面に複数の年輪の線があり、
前記分割片は前記複数の年輪の線を横断して分割され、
隣り合う一の前記分割片及び他の前記分割片の相対向するそれぞれの分割縁部に、互いに対応する一対の木目照合誘導部が設けられていることを特徴とする証明プレート。
【請求項２】
前記板材の板面に年輪の中心部があり、前記分割片は前記年輪の中心部付近から放射状に分割して得られたことを特徴とする請求項１に記載の証明プレート。
【請求項３】
前記分割片が３個以上からなることを特徴とする請求項１〜請求項２のいずれかに記載の証明プレート。
【請求項４】
前記木目照合誘導部が誘導表示部から成ることを特徴とする請求項１〜請求項３のいずれかに記載の証明プレート。
【請求項５】
前記誘導表示部が、隣り合う前記分割片同士を突き合せたとき連続することを特徴とする請求項４に記載の証明プレート。
【請求項６】
前記木目照合誘導部が誘導凹凸部から成ることを特徴とする請求項１〜請求項３のいずれかに記載の証明プレート。
【請求項７】
前記分割片の板面に付加表示部があることを特徴とする請求項１〜請求項６のいずれかに記載の証明プレート。
【請求項８】
請求項１〜請求項７のいずれかに記載の証明プレートを用いた装身具。
【請求項９】
請求項１〜請求項７のいずれかに記載の証明プレートを用いた装飾品。
【請求項１０】
請求項１〜請求項７のいずれかに記載の証明プレートを用いた実用品。
【手続補正２】
【補正対象書類名】明細書
【補正対象項目名】０００５
【補正方法】変更
【補正の内容】
【０００５】
樹木の樹種によっては、年輪が生じないものもあるが、樹木の年輪は春材部分は色が薄く厚く、夏材部分は濃く細く線のように見え、年毎にそれぞれその厚みが違い、東西南北方向にも一様でない。年輪は樹木毎に又部位毎に微妙に違っていて同じものは無い。したがって、各分割片間の全ての木目を照合することによって、第三者の認証の必要もなく、分割片それ自体の木目で所持者の関係を証明することができる。
【手続補正３】
【補正対象書類名】明細書
【補正対象項目名】００１０
【補正方法】変更
【補正の内容】
【００１０】
本発明に係る証明プレートは、木目を有する板材を当該木目を分断するように分割して得た複数の分割片から成る複数個一組の証明プレートであって、前記板材は木口面を板面としたものであって、前記板面に複数の年輪の線があり、前記分割片は前記複数の年輪の線を横断して分割されたもので、隣り合う一の前記分割片及び他の前記分割片の相対向するそれぞれの分割縁部に、互いに対応する一対の木目照合誘導部が設けられていることを特徴としている。
【手続補正４】
【補正対象書類名】明細書
【補正対象項目名】００１１
【補正方法】変更
【補正の内容】
【００１１】
また、本発明に係る証明プレートは、前記板面の前記年輪の中心部付近から放射状に分割して得られることを特徴としている。
また、本発明に係る証明プレートは、前記分割片が３個以上からなることを特徴としている。
【手続補正５】
【補正対象書類名】明細書
【補正対象項目名】００１２
【補正方法】変更
【補正の内容】
【００１２】
また、本発明に係る証明プレートは、前記木目照合誘導部が誘導表示部から成ることを特徴としている。
【手続補正６】
【補正対象書類名】明細書
【補正対象項目名】００１３
【補正方法】変更
【補正の内容】
【００１３】
また、本発明に係る証明プレートは、前記誘導表示部が、隣り合う前記分割片同士を突き合せたとき連続することを特徴としている。
また、本発明に係る証明プレートは、前記木目照合誘導部が誘導凹凸部から成ることを特徴としている。
また、本発明に係る証明プレートは、前記分割片の板面に付加表示部があることを特徴としている。


【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
木目を有する板材を当該木目を分断するように分割して得た複数の分割片から成る複数個一組の証明プレートであって、
前記板材は木口面を板面としたものであって、前記板材の板面に複数の年輪の線があり、前記板材の板面に年輪の線の中心部があり、
前記分割片は、前記板材の前記年輪の線の中心部の付近から放射状に出て前記複数の年輪の線の全てを横断する分割線で分割して得られ、
隣り合う一の前記分割片及び他の前記分割片の相対向するそれぞれの分割縁部に、互いに対応する一対の木目照合誘導部が設けられており、
前記分割片が３個以上からなることを特徴とする証明プレート。
【請求項２】
前記木目照合誘導部が誘導表示部から成ることを特徴とする請求項１に記載の証明プレート。
【請求項３】
前記誘導表示部が、隣り合う前記分割片同士を突き合せたとき連続することを特徴とする請求項２に記載の証明プレート。
【請求項４】
前記木目照合誘導部が誘導凹凸部から成ることを特徴とする請求項１に記載の証明プレート。
【請求項５】
前記分割片の板面に付加表示部があることを特徴とする請求項１〜請求項４のいずれかに記載の証明プレート。
【請求項６】
請求項１〜請求項５のいずれかに記載の証明プレートを用いた装身具。
【請求項７】
請求項１〜請求項５のいずれかに記載の証明プレートを用いた装飾品。
【請求項８】
請求項１〜請求項５のいずれかに記載の証明プレートを用いた実用品。